(57)【要約】【課題】本発明は電磁石のためのケーシングであって、ケーシングが中空体状の形態を有している形式のものを構成寸法が小さくなるように改良することである。【解決手段】ケーシングが壁厚（Ｗ１，Ｗ２）の異なる領域を有していること。【選択図】図１
2004257562.tif 000002
【特許請求の範囲】
【請求項１】
電磁弁のためのケーシングであって、ケーシングが中空体状の形を有している形式のものにおいて、ケーシング（１）が壁厚（Ｗ１，Ｗ２）の種々異なる領域を有していることを特徴とする、電磁弁のためのケーシング。
【請求項２】
ケーシングの壁厚が最小の壁厚（Ｗ１）と最大の壁厚（Ｗ２）との間で連続的に変化している、請求項１記載のケーシング。
【請求項３】
ケーシング（１）が対称的に構成されている、請求項１又は２記載のケーシング。
【請求項４】
ケーシング（１）が互いに向き合った２つの領域にて減少された壁厚さを有している、請求項１から３までのいずれか１項記載のケーシング。
【請求項５】
ケーシングが壁厚の減じられた領域を４つ有しており、それぞれ壁厚の減じられたこの領域が互いに向き合っている、請求項１から４までのいずれか１項記載のケーシング。
【請求項６】
ケーシングがほぼ鉢形に構成されている、請求項１から５までのいずれか１項記載のケーシング。
【請求項７】
請求項１から６までのいずれか１項記載のケーシングを複数個有している磁石グループにおいて、互いに隣接するケーシングが互いに接触するように配置されていることを特徴とする、磁石グループ。
【請求項８】
磁石グループがほぼ方形の外郭を有するようにケーシング（１）が配置されている、請求項７記載の磁石グループ。
【請求項９】
磁石グループのケーシング（１）が隣接するケーシングに対する接触領域にてそれぞれ減少された壁厚さを有するようにケーシングが配置されている、請求項７又は８記載の磁石グループ。
【請求項１０】
各ケーシングが壁厚の減じられた領域を少なくとも２つ有し、各ケーシングが少なくとも２つのケーシングと壁厚の減じられた領域で接触するように、ケーシングが磁石グループを成して配置されている、請求項７から９までのいずれか１項記載の磁石グループ。
【発明の詳細な説明】
【技術分野】
【０００１】
本発明は請求項１に上位概念として記載した形式の電磁弁のためのケーシングに関する。
【背景技術】
【０００２】
電磁式に作動可能な弁は種々異なる構成で種々異なる使用目的のために、例えば自動車において自動伝動装置のための圧力調整弁として又は燃料噴射弁として公知である。このような弁は管状のケーシングを有し、該ケーシング内には電磁コイルが配置されている。この場合、管状のケーシングの壁厚さは必要とされる磁気流により決定される。自動車の液圧的な使用目的では、例えば複数の電磁弁が使用されるアンチロックシステム、アンチスリップ調整装置又は電気液圧式のブレーキシステムのために、いわゆる磁石グループがしばしば使用される。このような磁石グループは図４に示されている。この場合、磁石グループ４はそれぞれ１つの管状のケーシング２を有する１２の磁石ユニット１を有している。この場合、直径Ｄは磁石グループの構成寸法（４Ｄ×３Ｄ）を決定する。
【発明の開示】
【発明が解決しようとする課題】
【０００３】
本発明の課題は請求項１の上位概念として記載した電磁弁のケーシングを改良して、電磁弁の構成寸法を縮小することである。
【課題を解決するための手段】
【０００４】
本発明の課題は、ケーシングが壁厚さの異なる領域を有していることによって解決された。請求項１に記載した特徴を有する電磁弁のためのケーシングは縮小させられた構成寸法が可能であるという利点を有している。これは特に磁石グループ内で使用した場合に有利である。このためには本発明による中空体状のケーシングはその外周に沿って種々異なる壁厚さを有している。さらに本発明による構成によりケーシングの重量が低減される。ケーシングは一方では比較的に小さい壁厚を有し、他方では比較的に大きい壁厚を有していることにより、減少させられた壁厚さによって磁気流も絞られることにならない。何故ならばこの場合には他の個所におけるケーシング壁厚が補償的に拡大されているからである。
【０００５】
従属請求項には本発明の有利な実施例が示されている。
【０００６】
有利にはケーシングの壁厚は厚い領域から薄い領域へ連続的に変化する。
【０００７】
このようなケーシングは例えば深絞りを用いて、付加的な深絞りにより又はより狭いダイを通す単数回又は複数回の延伸により達成される。
【０００８】
特に簡単にかつ費用的に有利に製作可能で、かつ多様に使用可能であるためには、ケーシングは有利には対称的に構成される。この場合、特に有利であることはケーシングの壁厚を互いに向き合った２つの領域で減少させることである。さらに、できるだけ多様に使用可能であるためには、ケーシングの壁厚は４つの領域にて減少させられていると有利である。この場合にはそれぞれ壁厚の減じられた２つの領域が互いに向き合っていると有利である。電磁コイルのために簡単な固定可能性を有するためには、ケーシングは有利には鉢形に構成される。この場合にはさらに内側へも折り曲げることが有利である。
【０００９】
複数の磁石ユニットから成る磁石グループは、互いに隣り合うケーシングが壁厚の減少させられた領域で互いに接触するように構成されていると有利である。これによって公知技術と比較して著しく減少された寸法と重量とが達成される。この場合、磁石グループはほぼ方形の外郭を有する。
【００１０】
特に有利には各ケーシングは減少させられた壁厚を有する少なくとも２つの領域を有している。この場合にはケーシングが壁厚の減じられた少なくとも２つの領域で、隣接するケーシングの壁厚の減じられた領域に接触するようにケーシングが１つの磁石グループを成すように配置される。
【実施例】
【００１１】
以後、図１から図３までに基づき、本発明による電磁弁のためのケーシング１を説明する。
【００１２】
図１と図２とから判るようにケーシング１はほぼ管状に構成されている。この場合、ケーシング１は壁厚の減じられた４つの領域を有している。これらの領域は符号５，６，７，８で示されている。壁厚の減じられた領域５，６，７，８はそれぞれ壁厚Ｗを有している。これに対し、壁厚が増大させられた領域９，１０，１１，１２は壁厚Ｗ１を有している。この場合ケーシング１は対称的に構成されている。壁厚の減少させられたそれぞれ２つの領域と壁厚の増大させられたそれぞれ２つの領域とが互いに向き合っている。したがって外部から見てケーシング１は壁厚の減じられた領域５，６，７，８にて面取りされた形を有している。
【００１３】
図２に示されているようにケーシング１は軸方向Ｘ−Ｘで一端に、内方へ折り曲げられた領域１４を有している。したがって図示されていない電磁コイルを受容する領域１３が形成されている。本発明によるケーシング１は例えば深絞りで製作することができる。この場合、壁厚の減じられた領域はより狭いダイを通して単数回又は複数回延伸させることで達成される。
【００１４】
図３には本発明によるケーシング１の特殊な使用例が示されている。この場合、図３においては１２のケーシング１から１つの磁石グループ４が形成されている。面取りされた領域５，６，７，８にてケーシング１は太さＥを有している。直径の拡大された領域９，１０，１１，１２にてケーシングは直径Ｄを有している。この場合直径Ｄは太さＥよりも大きい。この場合、ケーシング１は磁石グループがほぼ方形の外郭を有するように配置されている。その際、ケーシング１は互いに直接的に隣接するケーシングが、壁厚の減じられた領域にて接触するように配置される。これにより磁石グループ内にてケーシングのより密な配置が達成される。これにより、このような磁石グループの構成寸法は４Ｅ×３Ｅの寸法に減じられかつ重量も減少させられる。
【００１５】
このような磁石グループは例えばアンチブロックシステム（ＡＢＳ）、アンチスリップ調整装置（ＡＢＲ）又は電気液圧式のブレーキ装置（ＥＨＢ）にて使用される。
【図面の簡単な説明】
【００１６】
【図１】本発明の１実施例による電磁弁のためのケーシングの概略的な平面図。
【図２】図１のＡ−Ａ線に沿った断面図。
【図３】複数のケーシングから成る磁石グループの概略的な平面図。
【図４】公知技術による磁石グループを示した図。
【符号の説明】
【００１７】
１  ケーシング、  ４  磁石グループ、  ５，６，７，８  壁厚の減じられた領域、  ９，１０，１１，１２  壁厚の増大された領域、  １３  電磁コイルを受容する領域、  １４  折り曲げられた領域
【図１】
2004257562.tif 000003
【図２】
2004257562.tif 000004
【図３】
2004257562.tif 000005
【図４】
2004257562.tif 000006